(57)【要約】【課題】ジョイントの送りねじとの係合を良好にできるピックアップ送り機構を提供すること。【解決手段】ピックアップを保持したスライド部材２１にジョイント２３の一端を固定する。ジョイント２３の他端に凸状の係合部２３１を形成し、トップカバー３２と送りねじ２４との間でねじ部２４１に係合させる。また、ジョイント２３の係合部２３１の反対側には突起２３２を設ける。衝撃や振動などでジョイント２３がねじ部２４１から離反する方向に移動すると、係合部２３１とねじ部２４１との係合が外れる前に突起２３２がトップカバー３２に接触する。これにより、係合部２３１のねじ部２４１への乗り上げを防止できる。【選択図】　図３
2004063003.tif 000002
【特許請求の範囲】
【請求項１】
ディスク状記録媒体に対し記録および　／または再生を行うピックアップを保持し、このピックアップをディスク状記録媒体の径方向に移動可能とされたスライド部材と、
このスライド部材の移動方向に平行に配置された送りねじと、
この送りねじを回転駆動させる回転駆動源と、
前記スライド部材に一端部が取り付けられ、他端部が前記送りねじの軸と交差しかつ当該他端部の側部が前記送りねじのねじ部に係合されたジョイントと、
このジョイントの前記送りねじとの離反方向に配置されて前記ジョイントの前記ねじ部での乗り上げを防止する押さえ部材とを備えた
ことを特徴とするピックアップ送り機構。
【請求項２】
請求項１に記載のピックアップ送り機構において、
前記押さえ部材は、前記ピックアップ、前記スライド部材、前記送りねじ、前記回転駆動源、前記ジョイントおよび前記押さえ部材が収納されるケース部材である
ことを特徴とするピックアップ送り機構。
【請求項３】
請求項１または請求項２に記載のピックアップ送り機構において、
前記ケース部材は平面部を備え、この平面部の平面に沿って前記ピックアップ、前記スライド部材、前記送りねじ、前記回転駆動源、前記ジョイントおよび前記押さえ部材が並んで配置され、前記ケース部材が薄型とされた
ことを特徴とするピックアップ送り機構。
【請求項４】
請求項１から請求項３のいずれかに記載のピックアップ送り機構において、
前記ジョイントは、前記押さえ部材に当接可能に設けられた突起を備えている
ことを特徴とするピックアップ送り機構。
【請求項５】
請求項１から請求項４のいずれかに記載のピックアップ送り機構を備えたことを特徴とするディスク装置。
【発明の詳細な説明】
【０００１】
【発明の属する技術分野】
本発明は、ピックアップ送り機構およびこれを備えたディスク装置に関する。
【０００２】
【従来技術】
光ディスクや磁気ディスク等に記録されたデータを再生等するディスク装置においては、一般的に、ディスクを回転させると同時にピックアップをディスクの径方向に移動させてディスク等の再生等を行う。ピックアップの移動は、ピックアップを保持するとともにディスクの径方向に移動可能なスライド部材と送りねじとによって行う。送りねじは、スライド部材の移動方向と平行に配置され、一端にはモータが取り付けられている。一方、スライド部材には、送りねじに係合するジョイントが設けられている。ジョイントは、スライド部材と送りねじとの間に配置されており、一端がスライド部材に固定され、他端が適当な付勢力で送りねじに押し付けられている。このようなピックアップ送り機構では、モータを駆動すると、送りねじの回転に伴ってジョイントが移動し、これによりスライド部材が送りねじに平行に移動することとなる。
【０００３】
【発明が解決しようとする課題】
このようなピックアップ送り機構では、ジョイントは送りねじとの良好な係合を保つために適当な付勢力で送りねじに押し付けられている。ジョイントの付勢力はジョイントに取り付けられたばねによって調整されている。この付勢力が小さいほどスライド部材の移動性能は良好になるが、その一方で、衝撃や振動などでジョイントが送りねじのねじ部から乗り上げてしまい、ピックアップ送り機構が良好に働かなくなる場合がある。
【０００４】
本発明の目的は、ジョイントの送りねじとの係合を良好にできるピックアップ送り機構およびこれを備えたディスク装置を提供することにある。
【０００５】
【課題を解決するための手段】
本発明の請求項１に記載のピックアップ送り機構は、ディスク状記録媒体に対し記録および　／または再生を行うピックアップを保持し、このピックアップをディスク状記録媒体の径方向に移動可能とされたスライド部材と、このスライド部材の移動方向に平行に配置された送りねじと、この送りねじを回転駆動させる回転駆動源と、前記スライド部材に一端部が取り付けられ、他端部が前記送りねじの軸と交差しかつ当該他端部の側部が前記送りねじのねじ部に係合されたジョイントと、このジョイントの前記送りねじとの離反方向に配置されて前記ジョイントの前記ねじ部での乗り上げを防止する押さえ部材とを備えたことを特徴とする。
【０００６】
請求項５に記載のディスク装置は、請求項１から請求項４のいずれかに記載のピックアップ送り機構を備えたことを特徴とする。
【０００７】
【発明の実施の形態】
以下、本発明の一実施形態を図面に基づいて説明する。
図１には、本実施形態にかかるピックアップ送り機構２をディスク装置１に適用した場合の全体図が示されている。
この図１においてディスク装置１は、ディスク状記録媒体Ｄが載置される平面状のトレイ３４を備えている。トレイ３４のディスク状記録媒体Ｄが配置される側とは反対側には、ピックアップ送り機構２が収納されるケース部材３が形成されている。ケース部材３は、トレイ３４の平面と平行な平面部分を有するとともに、開口が形成されたボトムケース３１と、このボトムケース３１の開口を塞ぐように設けられた平面状のトップカバー３２とを備えている。ボトムケース３１には、ピックアップ送り機構２が収納され、また、トップカバー３２はトレイ３４の開口部分にはめこまれてトレイ３４と同平面上に配置されている。ボトムケース３１には、ディスク状記録媒体Ｄを固定して回転させるディスク保持部４が設けられており、このディスク保持部４はトップカバー３２に設けられた開口部３３から外部に露出している。この開口部３３は、ディスク保持部４周囲およびディスク保持部４からディスク状記録媒体Ｄの径方向に向かって開口されており、ピックアップ送り機構２の一部が露出している。
【０００８】
ここで、ディスク状記録媒体Ｄとしては、光ディスクや光磁気ディスクあるいは磁気ディスクなどの任意のものが採用できる。また、ディスク装置１は、ディスク状記録媒体Ｄの略直径範囲内でディスク状記録媒体Ｄの平面と平行に、つまりトップカバー３２の平面と平行にピックアップ送り機構２等の構成部品が配置されて薄型に構成された、いわゆるスリムドライブである。
【０００９】
ピックアップ送り機構２は、図２に示されるように、ピックアップ５が保持された平板状のスライド部材２１と、スライド部材２１をディスク状記録媒体Ｄの径方向に移動させる送りねじ２４とを備えている。
スライド部材２１は、ピックアップ５を略中央に保持しており、このピックアップ５が、開口部３３から外部に露出してディスク状記録媒体Ｄにアクセス可能となっている。
【００１０】
スライド部材２１の移動方向、つまりディスク状記録媒体Ｄの径方向の両側には、移動方向に平行に棒状の支持部材２２がそれぞれ配置されている。また、スライド部材２１の両端には、ガイド部２１１が一体的に形成されている。これらのガイド部２１１が支持部材２２に係合することでスライド部材２１が移動方向にスライド可能とされている。
なお、ガイド部２１１は、スライド部材２１の一部の平板状部材をカーリングするなどして形成すればよい。あるいは、ガイド部２１１を筒状に形成し、内部に支持部材２２を通して摺動可能に設けてもよい。本実施形態においては、送りねじ２４が設けられている側のガイド部２１１には円筒状の孔が二箇所形成され、断面円状の支持部材２２に摺動可能に支持されている。また、送りねじ２４が配置されていない側のガイド部２１１は、平板状に形成され、支持部材２２に当接して支持されている。
【００１１】
送りねじ２４は、スライド部材２１の移動方向に平行に配置され、周面に螺旋状のねじ部２４１が形成されている。送りねじ２４の一端は、回転駆動源としてのステッピングモータ２５に接続されている。
ここで、ねじ部２４１のピッチや、ステッピングモータ２５の回転数などは、ディスク状記録媒体Ｄの回転速度やピックアップ５の送り速度（シーク速度）等を勘案して適宜決定される。
【００１２】
送りねじ２４とスライド部材２１との係合は、スライド部材２１に設けられたジョイント２３によって行われている。ジョイント２３は、図３にも示されるように板状に形成され、その基端側は所定幅を有し、先端側が細長く形成された平面Ｔ字形の部材である。このジョイント２３の基端側は、ねじなどでスライド部材２１に固定されている。
ジョイント２３は、金属と合成樹脂とから構成され、本実施形態では、板金に合成樹脂を接着することにより形成されている。ジョイント２３の他端側面には送りねじ２４のねじ部２４１に係合する係合部２３１が形成されている。この係合部２３１は、ジョイント２３の長手方向側面に凸状に形成され、図４（Ａ）に示されるように、送りねじ２４の軸と直交してトップカバー３２が配置された側のねじ部２４１において係合されている。また、ジョイント２３の長手方向略中央には凹部２３３が樹脂成形によって形成されている。凹部２３３は、その大きさや形状を調整することで、ジョイント２３のねじ部２４１への付勢力が調整されている。これによってジョイント２３がねじ部２４１に適当な付勢力で押し付けられるとともにねじ部２４１から近接離反する方向に揺動可能となっている。ジョイント２３の送りねじ２４に係合されている側とは反対側、つまり、ねじ部２４１から離反する側には略矩形状の突起２３２が設けられている。この突起２３２は、トップカバー３２と送りねじ２４との間に配置されている。なお、突起２３２とトップカバー３２との間隔Ｌは、係合部２３１のねじ部２４１への係合深さＨより短くなっている。
【００１３】
次に本実施形態の動作について説明する。
ディスク状記録媒体Ｄをトレイ３４に載置して図示しないディスク駆動機構によってディスク状記録媒体Ｄを回転させる。ピックアップ５がディスク状記録媒体Ｄのデータを再生しながらディスク状記録媒体Ｄの径方向に移動する際には、ステッピングモータ２５を回転駆動させる。すると、送りねじ２４が回転し、ねじ部２４１に係合したジョイント２３が送りねじ２４の軸方向に沿って移動する。ジョイント２３はスライド部材２１に固定されているので、スライド部材２１が支持部材２２に沿ってスライドし、これによりピックアップ５がディスク状記録媒体Ｄの径方向に移動する。
【００１４】
通常の移動時には、図４（Ａ）に示されるように、ジョイント２３の係合部２３１は、ねじ部２４１に適当な付勢力によって係合されている。しかし、振動や衝撃などでジョイント２３がねじ部２４１から離反する方向に移動する場合がある。この時には、図４（Ｂ）に示されるように、ジョイント２３のねじ部２４１との係合が外れる前に、突起２３２がトップカバー３２にあたって係合部２３１のねじ部２４１への乗り上げを防止する。すなわち、本実施形態においてはトップカバー３２が乗り上げを防止する押さえ部材として機能している。
【００１５】
従って、本実施形態によれば、次のような効果が得られる。
ジョイント２３の先端側が、送りねじ２４の軸と交差しており、かつジョイント２３の側部がねじ部２４１に係合されているので、衝撃や振動などによってジョイント２３の係合が外れる前に突起２３２がトップカバー３２に当接されて、係合部２３１がねじ部２４１に乗り上げることがない。よってジョイント２３と送りねじ２４との係合を常に良好に保つことができ、良好な送り性能を得ることができる。
【００１６】
また、係合部２３１がねじ部２４１に乗り上げることがないので、ジョイント２３の係合部２３１をねじ部２４１に対して強い付勢力で押し付ける必要がない。よって、ジョイント２３の付勢力を最小限に押さえることができ、よりピックアップ５の送り性能を向上できる。
【００１７】
ジョイント２３に突起２３２が設けられているので、振動や衝撃を受けてジョイント２３がトップカバー３２と接触する際にも、接触面積を小さくできる。これにより、ジョイント２３とトップカバー３２との摩擦を最小限に押さえることができ、よりスムーズな送り性能が実現できる。
【００１８】
スライド部材２１の両側に支持部材２２が配置されているので、スライド部材２１が安定して移動できる。また、支持部材２２を平面的に配置しているので、ディスク装置１の薄型化が促進できる。
【００１９】
ジョイント２３が送りねじ２４の軸に直交して設けられ、ジョイント２３の側部においてねじ部２４１に係合しているので、ジョイント２３の構造を簡単にできる。したがって、部品が小型化しても高精度に成形でき、寸法公差によるピックアップ送り機構２の品質のばらつきを押さえることができる。よって、いわゆるスリムドライブ等にも送り性能の劣化を伴うことなく適用でき、ディスク装置１の薄型化を促進できる。
【００２０】
乗り上げ防止の押さえ部材をトップカバー３２が兼ねているので、新たに押さえ部材を設ける必要がなく、より一層ディスク装置１の薄型化を促進できる。
【００２１】
なお、本発明は前述の実施形態に限定されるものではなく、本発明の目的を達成できる範囲での変形、改良等は本発明に含まれるものである。
例えば、本実施形態ではジョイント２３の形状は、板金と合成樹脂とを接着し、長手方向略中央に凹部２３３を形成していたが、このような形状に限らない。例えば、図５に示されるように、板金に、先端の係合部２３１および突起２３２の部分のみに合成樹脂をアウトサート成形してもよい。この時、板金を長手方向略中央で曲げ加工することなどによって凹部２３３を形成してもよい。このような形状であれば曲げ加工などによって簡単に付勢力を発生させることができるので、より簡単かつ安価にジョイント２３を製造できる。
また、これに限らず、凹部２３３、突起２３２および係合部２３１を含んだジョイント２３全体を金属の板状部材などを曲げ加工することによって形成してもよい。このような形状でも、一つの部材から曲げ加工のみでジョイント２３を形成することができるので、加工工程を短縮することができ、簡単かつ安価にジョイント２３を製造できる。
【００２２】
ジョイント２３の板金と合成樹脂との固着は、接着によるものであったが、これに限らず、例えば板金に合成樹脂をアウトサート成形することによるものであってもよく、これらの部材の固着方法は任意である。
また、ジョイント２３の材料は、本実施形態では板金および合成樹脂であったが、これに限らず、金属のみ、あるいは合成樹脂のみで構成されていてもよいし、これらの材料に限らず、弾性を有するその他の材料であってもよい。
【００２３】
突起２３２の形状は、略矩形状に形成されていたが、これに限らず円盤状、球状、円錐状などの形状や、あるいはトップカバー３２に線状に接触するような形状でもよい。要するに、トップカバー３２との摩擦力を小さくできる形状であれば任意である。また、突起２３２がない場合でもジョイント２３の一部がトップカバー３２に当接されて係合部２３１がねじ部２４１に乗り上げるのを防止できる。例えば、前述の図５のジョイント２３の形状であれば、突起２３２がない場合は曲げ加工された角の部分がトップカバー３２に線状に接触する。よって、この場合でも乗り上げを防止できるので、突起２３２は必ずしも設けられていなくてもよい。
【００２４】
係合部２３１のねじ部２４１への付勢力は、ジョイント２３自身の弾性力によるものに限らない。例えば、ばねの一端をジョイント２３の先端に固定し、他端をボトムケース３１に固定すれば、引っ張り力によって付勢力を得ることができる。このように、係合部２３１のねじ部２４１への付勢方法は任意である。
また、係合部２３１をねじ部２４１へ付勢しなくてもトップカバー３２が係合部２３１のねじ部２４１への乗り上げを防止しているので、両者の係合が良好に保たれる。よって、必ずしも係合部２３１はねじ部２４１に対して付勢されていなくてもよい。
【００２５】
係合部２３１のねじ部２４１への係合は、本実施形態では送りねじ２４と直交していたが、これに限らず係合部２３１が送りねじ２４の軸に交差してジョイント２３の側面においてねじ部２４１と係合してれば任意である。
また、係合部２３１がねじ部２４１に対して係合する位置は、ねじ部２４１周囲のトップカバー３２と送りねじ２４の軸中心とを結んだ点に限らない。例えば、図５に示されるように係合部２３１が当該位置から外れてトップカバー３２の平面に対して斜めに係合していてもよい。この場合には、係合部２３１や突起２３２を送りねじ２４およびトップカバー３２の間に配置しなくてよいので、より一層ディスク装置１の薄型化が促進できる。このように、係合部２３１とねじ部２４１との係合位置は、振動や衝撃などを受けた際にジョイント２３全体の揺動方向がトップカバー３２に接近する方向であれば任意である。
【００２６】
ガイド部２１１は、スライド部材２１の両側において支持部材２２で支持されていたが、これに限らない。例えば、送りねじ２４が配置されている側のガイド部２１１は、直接送りねじ２４に摺動可能に支持されていてもよい。この場合には、少なくとも片方の支持部材２２を設けなくてよいので、部品点数を減らすことができ、より安価に製造できる。また、これにより、ディスク装置１の薄型化を促進する際により大きく構成部品の配置スペースを確保できる。
【００２７】
ディスク装置１は、本実施形態では読み取り（再生）専用であったが、これに限らず記録専用であってもよいし、あるいは読み取り（再生）および記録を行うものであってもよい。また、ディスク装置１の構造は、ディスク保持部４やピックアップ送り機構２などがディスク装置１が装着される本体側に設けられてトレイ３４のみが本体から進退する構造になっていてもよい。要するに、ディスク装置１の構成部品の構造、配置は任意である。また、ピックアップ送り機構２は、構成部品がトップカバー３２と平行に平面的に配置された薄型のディスク装置１に限らず、あらゆるタイプのディスク装置に適用できる。
【００２８】
押さえ部材は、本実施形態ではトップカバー３２であったが、これに限らず、例えばボトムケース３１のように、ケース部材３の一部であってもよい。この場合には、係合部２３１を送りねじ２４とボトムケース３１との間で係合させる。そして係合部２３１がねじ部２４１から離反するとねじ部２４１に乗り上げる前にボトムケース３１に接触するように係合部２３１を設置すればよい。
また、押さえ部材はケース部材３の一部であったが、ケース部材３はメカフレームを含んでいてもよい。つまり、突起２３２やジョイント２３の押さえ部材への当接部分がメカフレームに当接されるように構成されていてもよい。
あるいは、押さえ部材はケース部材３に限らず、例えばジョイント２３とトップカバー３２との間に新たに部材を設けてもよい。ただしこの場合には、新しい部材を配置するスペースを確保しなければならないので、ディスク装置１の薄型化を図ることは難しい。
【００２９】
回転駆動源は、本実施形態ではステッピングモータ２５であったが、これに限らない。例えばＤＣモータ等、送りねじ２４を回転駆動させるものであれば任意に採用できる。
【００３０】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【図１】本発明の一実施形態にかかるディスク装置の全体を示す平面図である。
【図２】本発明の一実施形態にかかるピックアップ送り機構を示す平面図である。
【図３】本発明の一実施形態にかかるピックアップ送り機構のジョイントを示す拡大図である。
【図４】本発明の一実施形態にかかるジョイントの動作を示す図である。
【図５】本発明のジョイントの変形例を示す図である。
【符号の説明】
１…ディスク装置、２…ピックアップ送り機構、３…ケース部材、２１…スライド部材、２３…ジョイント、２４…送りねじ、２５…回転駆動源としてのステッピングモータ、３２…押さえ部材としてのトップカバー、２３１…係合部、２３２…突起。
【図１】
2004063003.tif 000003
【図２】
2004063003.tif 000004
【図３】
2004063003.tif 000005
【図４】
2004063003.tif 000006
【図５】
2004063003.tif 000007